(57)【特許請求の範囲】
【請求項１】
建物の壁（Ｗ）に形成された給気孔（Ｗ２）内に挿入される中空の挿入部（３）と、該挿入部（３）の先端部に外周側に向けて連設され、前記給気孔の孔縁を覆う化粧縁部（４）と、を具備した本体部（２）と、
該本体部（２）の室内側開口を開閉する風量調整板（５）と、
前記本体部（２）内に支持されたスライダーケース（９）と、
該スライダーケース（９）内に挿抜自在に挿入されるとともに、弾性手段（１４）によってスライダーケース（９）から抜ける方向に付勢され、先端側は前記風量調整板（５）に連結された、複数個の係止凹部（１５）が形成されたスライダー（１３）と、
前記係止凹部（１５）に係脱自在に係止される係止爪（１７）を具備して、係止爪（１７）を前記係止凹部（１５）に係止することで、前記スライダー（１３）が前記スライダーケース（９）から抜ける方向へ移動することは阻止し、前記スライダー（１３）がスライダーケース（９）へ挿入される方向へ移動することは許容するとともに、弾性手段（１８）によって係止爪（１７）が前記係止凹部（１５）に係止する方向へ付勢されたストッパー（１６）と、
前記ストッパー（１６）を、前記係止凹部（１５）と係止爪（１７）との係止が解除される方向へ移動するためのスイッチ（１９）と、
前記係止凹部（１５）と係止爪（１７）との係止が解除されているときに前記ストッパー（１６）の位置を固定して、係止凹部（１５）と係止爪（１７）との係止が解除された状態を維持するための保持部材（２５）と、を具備し、
前記ストッパー（１６）に、前記係止凹部（１５）に係止爪（１７）が係止されているときに初期位置にあり、前記係止凹部（１５）と係止爪（１７）との係止が解除された際に初期位置から所定位置へ移動する解除爪（３１）を形成し、前記スライダー（１３）には、前記係止凹部（１５）と係止爪（１７）との係止が解除されている状態で前記スライダーケース（９）から抜ける方向へ移動したときに、初期位置から所定位置に移動した前記解除爪（３１）を初期位置に復元するための解除突起（３２）を形成し、
前記係止凹部（１５）と係止爪（１７）との係止が解除されているとともに前記保持部材（２５）によってストッパー（１６）の位置が固定されている状態のときに、スライダー（１３）がスライダーケース（９）から抜ける方向へ移動することで、前記解除突起（３２）が解除爪（３１）を初期位置に復元させ、それにより前記係止凹部（１５）に係止爪（１７）が係止する、ことを特徴とする喚起口カバー。
【請求項２】
前記スライダー（１３）が前記風量調整板（５）に係脱自在に連結されたことを特徴とする請求項１に記載の喚起口カバー。
【請求項３】
前記保持部材（２５）は係止突起（２７）を具備し、前記ストッパー（１６）は前記係止突起（２７）に係止される鍔部（３０）を具備し、前記ストッパー（１６）を前記係止凹部（１５）と係止爪（１７）との係止が解除される方向に移動することで、前記鍔部（３０）が係止突起（２７）に係止されてストッパー（１６）の位置が固定され、これにより、係止凹部（１５）と係止爪（１７）との係止が解除された状態が維持されることを特徴とする請求項１又は請求項２に記載の喚起口カバー。
【請求項４】
前記ストッパー（１６）は前記スイッチ（１９）の先端が挿通する貫通孔（２３）を具備するとともに、該貫通孔（２３）内にはテーパー状の受圧壁（２４）が形成され、前記スイッチ（１９）は前記受圧壁（２４）を押圧する押圧面（２２）を具備し、押圧面（２２）で受圧壁（２４）を押圧することで、前記ストッパー（１６）を、前記係止凹部（１５）と係止爪（１７）との係止が解除される方向へ移動することとしたことを特徴とする請求項１乃至請求項３のいずれかに記載の喚起口カバー。
【請求項５】
前記風量調整板（５）は、前記本体部（２）側に、本体（２）側に形成した吸気用開口（４４）と、側壁に形成した複数の給気窓（４５）と、該給気窓（４５）を閉鎖する風カバー（４６）と、を有した筒状の風向き調整具（４２）を具備したことを特徴とする請求項１乃至請求項４のいずれかに記載の喚起口カバー。
【請求項６】
前記風向き調整具（４２）は、前記給気窓（４５）を通風自在に閉鎖するフィルター（５０）を有することを特徴とする請求項５に記載の喚起口カバー。
【発明の詳細な説明】
【技術分野】
【０００１】
本発明は、屋外から室内に通じる換気口の室内側に取り付けられる換気口カバーに係り、より詳しくは、換気口を段階的に閉鎖自在であるとともに一度の動作で換気口を全開あるいは全閉することも自在であり、更に、意図しないにもかかわらず換気口が全開してしまうことを防止した換気口カバーに関する。
【背景技術】
【０００２】
近年の住宅は高気密化が進んでいるために、十分な換気を行わないと、壁材などに用いられている揮発性有機化合物（ＶＯＣ）を原因とするシックハウス症候群になるおそれが考えられる。そのために、西暦２００３年の建築基準法改正により、シックハウス症候群対策として常時換気できる設備の設置が義務付けられ、それに従い、建物の室内側にも換気口カバーが取り付けられるようになった。
【０００３】
ここで、従来から用いられている換気口カバーについて説明すると、一般的に換気口カバーは、建物の壁に形成された給気孔に挿入される円筒形状の本体部と、前記給気孔を開閉自在に閉鎖する蓋としての風量調整板とを具備しており、風量調整板は、本体部に支持されるとともに、給気孔の開閉割合を調整自在としている。
【０００４】
即ち、風量調整板の裏面には、本体部側に向けて棒状のスライダーが突設されており、一方本体部には、風量調整板に突設したスライダーが挿入されるスライダーケースが具備されており、スライダーケースに対するスライダーの挿入割合を調整することにより、風量調整板による給気孔の開閉割合を調整可能としている。
【０００５】
そして、このとき、従来の換気口カバーの中には、スライダーケースに対してスライダーを段階的に伸縮自在にすることで、風量調整板による給気孔の開閉割合を段階的に調整可能とした段階的伸縮機構を採用したものが存在していた。
【０００６】
即ち、この段階的に伸縮自在とした方法では、スプリング等の弾性手段によってスライダーを伸びる方向へ付勢するとともに、スライダーに長手方向に沿って複数の係止凹部を形成して、スライダーケースの内部にはスライダーに形成した係止凹部に係止される係止爪を備えて、係止爪が係止するスライダーの係止凹部の位置を変化させることで、スライダーケースに対してスライダーを段階的に伸縮自在としている。
【先行技術文献】
【特許文献】
【０００７】
【特許文献１】特開２００６−１８０９７６号公報
【特許文献２】特開２００６−１８０９７７号公報
【特許文献３】特開平９−１５８９１７号公報
【特許文献４】特開平９−２４２７２３号公報
【特許文献５】特開平１１−３１５８１２号公報
【発明の概要】
【発明が解決しようとする課題】
【０００８】
ところで、従来の段階的な伸縮機構におけるスライダーの伸縮形態は、スライダーが段階的に伸びる場合（特開平１１−３１５８１２号公報参照）と、スライダーが段階的に縮む場合（特開平９−１５８９１７号公報、特開平９−２４２７２３号公報参照）があるが、このうち段階的に縮む機構では、完全にスライダーを縮ませて風量調整板を全閉にした状態において、更に風量調整板を押し込むことで、係止爪と係止凹部との係止が解除され、それによりスライダーが最長まで伸びて風量調整板が全開状態になる方法が採用されている。そのため、風量調整板を全閉にするために一気にスライダーを押し込んだ場合に、風量調整板を全閉にする位置を超えてスライダーを押し込んでしまうことがあり、この場合には、風量調整板を全閉にする意図に反して、スライダーが最長位置まで戻ってしまい風量調整板が全開してしまうことがあった。そしてこのことは特に、台風等の風が強いときに、室内に風が入り込んでくることを防止するために風量調整板を一気に全閉にしようとした場合に、特に起こり易かった。
【０００９】
そこで、本発明は、建物の壁に形成された給気孔に挿入される円筒形状の本体部と、給気孔を開閉自在に閉鎖する蓋としての風量調整板とを具備した換気口カバーにおいて、風量調整板を段階的に閉めることができるとともに、１回の動作で風量調整板による給気孔の全開、全閉を行うことの双方を可能にし、更に、給気孔を全閉にした状態において風量調整板を押し込んだ場合でも給気孔が開くことが無い換気口カバーを提供することを課題としている。
【課題を解決するための手段】
【００１０】
本発明の換気口カバーは、
建物の壁に形成された給気内に挿入される中空の挿入部と、該挿入部の先端部に外周側に向けて連設され、前記給気孔の孔縁を覆う化粧縁部と、を具備した本体部と、
該本体部の室内側開口を開閉する風量調整板と、
前記本体部内に支持されたスライダーケースと、
該スライダーケース内に挿抜自在に挿入されるとともに、弾性手段によってスライダーケースから抜ける方向に付勢され、先端側は前記風量調整板に連結された、複数個の係止凹部が形成されたスライダーと、
前記係止凹部に係脱自在に係止される係止爪を具備して、係止爪を前記係止凹部に係止することで、前記スライダーが前記スライダーケースから抜ける方向へ移動することは阻止し、前記スライダーがスライダーケース内へ挿入される方向へ移動することは許容するとともに、弾性手段によって係止爪が係止凹部に係止する方向へ付勢されたストッパーと、
該ストッパーを、前記係止凹部と係止爪との係止が解除される方向へ移動するためのスイッチと、
前記係止凹部と係止爪との係止が解除されているときに前記ストッパーの位置を固定して、係止凹部と係止爪との係止が解除された状態を維持するための保持部材と、を具備し、
前記ストッパーに、前記係止凹部に係止爪が係止されているときに初期位置にあり、前記係止凹部と係止爪との係止が解除された際に初期位置から所定位置へ移動する解除爪を形成し、前記スライダーには、前記係止凹部と係止爪との係止が解除されている状態で前記スライダーケースから抜ける方向へ移動したときに、初期位置から所定位置へ移動した前記解除爪を初期位置に復元するための解除突起を形成し、
前記係止凹部と係止爪との係止が解除されているとともに前記保持部材によってストッパーの位置が固定されている状態のときに、スライダーがスライダーケースから抜ける方向へ移動することで、前記解除突起が解除爪を初期位置に復元させ、それにより前記係止凹部に係止爪が係止する、ことを特徴としている。
【発明の効果】
【００１１】
本発明の換気口カバーでは、建物の壁に形成された給気孔内に挿入された本体部の室内側開口部を風量調整板で開閉自在に閉鎖し、風量調整板に先端部が連結されたスライダーを本体部内に支持されたスライダーケース内に挿抜自在に挿入している。そしてそれにより、スライダーを介して風量調整板を本体部に対して進退自在とし、スライダーケースに対するスライダーの挿入割合を調整することで、風量調整板による本体部の室内側開口部の開閉割合を調整可能としている。また、スライダーは、複数個の係止凹部を具備するとともに、スライダーケースから抜ける方向に付勢されており、一方、スライダーの係止凹部に係止する係止爪を有するストッパーが、スライダーがスライダーケースから抜ける方向に移動することを阻止している。
【００１２】
従って、係止爪と係止凹部との係止を解除することで、スライダーケースに対するスライダーの挿入割合を調整することができ、そのとき、複数個の係止凹部に対して順番に係止爪を係止させることで、段階的にスライダーを縮めることができるとともに、最先端あるいは最後端の係止凹部に係止爪が係止されるまで係止爪と係止凹部との係止を解除することで、一気にスライダーを伸縮し、１回の動作で風量調整板による給気孔の全閉又は全閉を行うことも可能である。
【００１３】
またストッパーは、スライダーがスライダーケースから抜ける方向へ移動することを阻止しており、ストッパーを操作しない限りスライダーがスライダーケースから抜ける方向へ移動しないとともに風量調整板も移動しないが、本発明では、係止凹部と係止爪との係止が解除される方向へストッパーを移動するためのスイッチを有している。そのため、スイッチを操作することで、１回の動作で風量調整板による給気孔の全開を行うことが可能であるとともに、風量調整板が全閉状態のときに風量調整板を押し込んでも、スライダーが風量調整板に移動することがなく、意図しないにも関わらず風量調整板が全開してしまうことも無い。
【図面の簡単な説明】
【００１４】
【図１】本発明の換気口カバーの実施例の構造を説明するための断面図である。
【図２】本発明の換気口カバーの実施例の構造を説明するための断面図である。
【図３】本発明の換気口カバーの実施例の構造を説明するための断面図である。
【図４】本発明の換気口カバーの実施例における内部状態を示す図である。
【図５】本発明の換気口カバーの実施例における本体部を説明するための図である。
【図６】図５におけるＡ−Ａ線断面構造を示す図である。
【図７】本発明の換気口カバーの実施例におけるストッパーと保持部材の関係を説明するための図である。
【図８】本発明の換気口カバーの実施例におけるストッパーと保持部材の関係を説明するための図である。
【図９】本発明の換気口カバーの実施例におけるストッパーと保持部材の関係を説明するための図である。
【図１０】図７におけるＢ−Ｂ線断面構造を示す図である。
【図１１】本発明の換気口カバーの実施例におけるカバーを示す図である。
【図１２】本発明の換気口カバーの実施例におけるスライダーケースを説明するための図である。
【図１３】本発明の換気口カバーの実施例におけるスライダーを説明するための図である。
【図１４】本発明の換気口カバーの実施例におけるスイッチを説明するための図である。
【図１５】本発明の換気口カバーの実施例における取付部材を説明するための図である。
【図１６】本発明の換気口カバーの実施例における取付部材を説明するための図である。
【図１７】本発明の換気口カバーの実施例における取付部材、スイッチ及びスライダーの関係を示す図である。
【図１８】本発明の換気口カバーの実施例における風向き調整具を説明するための図である。
【図１９】本発明の換気口カバーの実施例におけるフィルターを説明するための図である。
【発明を実施するための形態】
【００１５】
本発明の換気口カバーでは本体部を有しており、この本体部は、建物の壁に形成された給気孔内に挿入される中空の挿入部を具備するとともに、この挿入部の先端部には、給気孔の室内側の孔縁に沿って壁面を覆う化粧縁部が、室内側の外周側に向けて連設されている。
【００１６】
また、本発明の換気口カバーでは風量調整板を有しており、この風量調整板は、前記本体部の室内側の開口部を開閉する蓋として機能する。
【００１７】
また、本体部内にはスライダーケースが支持されており、このスライダーケース内には、挿抜自在にして、長尺状のスライダーが挿入されている。そして、このスライダーは、長手方向に沿って複数個の係止凹部を有しており、弾性手段によって、スライダーケースから抜ける方向に付勢されている。更に、スライダーにおける反スライダーケース側の先端側は、風量調整板に連結されており、これにより風量調整板は、スライダーを介して本体部に支持されている。そして、スライダーは、固定又は係脱自在にして、風量調整板に連結されている。
【００１８】
更に、本発明はスライダーの移動を制御するストッパーを有しており、このストッパーは、スライダーの係止凹部に係止される係止爪を有しており、係止爪を係止凹部に係止することにより、前記スライダーがスライダーケースから抜ける方向に移動することは阻止し、スライダーがスライダーケース内に挿入される方向へ移動することは許容することとしている。そしてストッパーは、弾性手段によって、係止爪が係止凹部に係止する方向へ付勢されている。
【００１９】
更にまた、本発明では、このストッパーを、係止凹部と係止爪との係止が解除される方向へ移動するためのスイッチと、係止凹部と係止爪との係止が解除されているときにストッパーの位置を固定して、係止凹部と係止爪との係止が解除された状態を維持するための保持部材を具備している。
【００２０】
また、ストッパーには解除爪が形成されており、この解除爪は、係止凹部に係止爪が係止されているときに初期位置にあり、係止凹部と係止爪との係止が解除された際に、初期位置から所定位置へ移動することとされている。そして、スライダーには、係止凹部と係止爪との係止が解除されている状態でスライダーケースから抜ける方向へ移動したときに、初期位置から所定位置へ移動した解除爪を初期位置に復元するための解除突起が形成されている。
【００２１】
そして、係止凹部と係止爪との係止が解除されているとともに、保持部材によってストッパーの位置が固定されている状態のときに、スライダーがスライダーケースから抜ける方向へ移動することで、解除突起が解除爪を初期位置に復元させ、それにより係止凹部に係止爪が係止することとしている。
【００２２】
ここで、保持部材に係止突起を具備するとともに、ストッパーには、係止突起に係止される鍔部を具備し、ストッパーを係止凹部と係止爪との係止が解除される方向に移動することで、鍔部が係止突起に係止されてストッパーの位置が固定されるようにするとよく、これにより、係止凹部と係止爪との係止が解除された状態を維持することが可能となる。
【００２３】
また、ストッパーに、スイッチの先端が挿通する貫通孔を形成するとともに、この貫通孔内にはテーパー状の受圧壁を形成し、一方、スイッチには受圧壁を押圧する押圧面を有し、押圧面で受圧壁を押圧することで、ストッパーを、係止凹部と係止爪との係止が解除される方向へ移動可能にするとよく、これにより、スイッチを操作することで、１回の動作で風量調整板による給気孔の全開を行うことが可能である。
【００２４】
更に、風量調整板における本体部側に筒状の風向き調整具を具備し、この風向き調整具に、本体部側に形成した吸気用開口と、側壁に形成した複数の給気窓と、給気窓を閉鎖する風カバーを具備するとよく、これにより、室内に入り込んでくる風の向きを調整することが可能となる。
【００２５】
そしてこのときに更に、給気窓を通風自在に閉鎖するフィルターを備えるとよく、それにより、外気とともに本体部に流入してくる塵埃などの異物をフィルターで捕捉することが可能である。
【実施例１】
【００２６】
本発明の換気口カバーの実施例について図面を参照して説明すると、図１乃至図３は本実施例の換気口カバーの構造を説明するための断面図である。そして、図において１が本実施例の換気口カバーであり、本実施例の換気口カバー１は、  建物の壁Ｗに形成された給気孔内Ｗ２に挿入される本体部２と、この本体部２の室内側の開口２０１を開閉自在に閉鎖する風量調整板５を具備し、本体部２に対して風量調整板５を移動することで、本体部２の室内側開口２０１を開閉自在としている。即ち、風量調整板５で本体部２の室内側開口２０１を閉鎖した状態が図１、３の状態であり、風量調整板５を移動させて本体部２の室内側開口２０１を解放した状態が図２の状態である。なお便宜上、図における上側、即ち室内側を先端側とし、下側、即ち室外側を基端側と言い、図１乃至図３は縦断正面構造を示していることとする。
【００２７】
まず、前記本体部２について図面を参照して説明すると、図５は本体部２の平面図、図６は図５におけるＡ−Ａ線断面図、即ち本体部２の縦断正面構造を示した図であり、本実施例における本体部２は、建物の壁Ｗに形成された給気孔Ｗ２内に挿入される挿入部３を有しており、この挿入部３は、前記給気孔Ｗ２の形状に合わせて、本実施例においては円筒状としている。
【００２８】
そして、この挿入部３の先端部の外周には化粧縁部４が外周側に向けて連設されており、この化粧縁部４は、前記給気孔Ｗ２の孔縁を覆うために用いられ、角枠状としている。なお、挿入部３は必ずしも円筒状である必要はなく、給気孔Ｗ２の形状が角孔であれば角筒状にする。
【００２９】
次に、図において６は挿入枠である。即ち、本実施例において前記本体部２内には、支持板８によって、中央部分に角筒状の挿入枠６が支持されており、この挿入枠６は、後述するスライダーケースを支持するために用いる。そして、この挿入枠６は、先端側及び基端側は開口としており、挿入部３における基端側の端部から半分程度までの長さとされ、先端側の端部には長板状のベース７が、挿入枠６の長手方向に直交する横方向に向けて連設されている。
【００３０】
次に、図１乃至３において９は、スライダーケースである。即ち、本実施例において前記挿入枠６の内周側には、スライダーケース９が挿入及び支持されている。ここで、前記スライダーケース９について詳細に説明すると、図１２はスライダーケース９を説明するための図であり、（ａ）はスライダーケース９を平面側から示した図、（ｂ）はスライダーケース９の左側面図、（ｃ）はスライダーケース９の縦断正面構造を示した図で（ａ）におけるＣ−Ｃ線断面図である。そして、本実施例において前記スライダーケース９は、前記挿入枠５内に挿入可能な外径の長尺の角筒状としており、先端側は前記ベース７に形成した貫通孔７０１を貫通して風量調整板５側に突出しており、基端側は挿入枠６を貫通して本体部２の下方側に突出している。
【００３１】
また、前記スライダーケース９は、互いに対向する面に長溝が形成されており、一方の長溝は係止爪用長溝１０であり、他方側の長溝は解除爪用長溝１１としている。そして、スライダーケース９は、固定用ベース１２を有しており、ビス等によって固定用ベース１２を前記支持板８に固定することで、挿入枠６内に固定されている。なお、本実施例では、本体部２内に挿入枠６を支持し、挿入枠６にスライダーケース９を挿入及び支持しているが、挿入枠６を用いず、スライダーケース９を支持板８によって本体部２内に直接支持してもよい。
【００３２】
次に図１乃至３において１３はスライダーである。即ち、本実施例では角棒状のスライダー１３を有しており、このスライダー１３は、前記スライダーケース９内に挿抜自在に挿入されている。また、スライダー１３は、弾性手段としての押しバネ１４によって、スライダーケース９から抜ける出る方向（「突出方向」）に付勢されており、更に、先端側は前記風量調整板５に係脱自在に連結されている。なお、本実施例において前記押バネ１４はコイル状のバネとしているが、スライダー１３を突出方向へ付勢する弾性手段１４は必ずしもコイル状のバネにする必要はなく、いずれの弾性手段を用いても良い。
【００３３】
ここで、図１３は前記スライダー１３を示す図であり、（ｂ）は正面側から見た図、（ａ）は平面側から見た図であり、図において前記スライダー１３には、長手方向に沿って間隔を置いて複数の係止凹部１５が形成されており、この係止凹部１５内に係脱自在に係止される係止爪を有したストッパーによって、突出方向への移動が規制されている。
【００３４】
即ち、図１乃至３において１６がストッパーであり、本実施例において前記ストッパー１６は四角枠状としており、前記ベース７上に載置され、ベース７の長手方向へ移動自在とされている。また前記スライダーケース９は、ストッパー１６を挿通しており、従ってベース７上においてストッパー１６は、スライダーケース９に周設された状態で、ベース７の長手方向へ移動自在とされている。
【００３５】
ここで前記ストッパー１６について説明すると、図７乃至図９において１６はストッパーの平面図であり、図１０は図７におけるＢ−Ｂ線断面図である。そして、前記ストッパー１６は、内周側に、前記スライダー１３に形成した係止凹部１５に係止される係止爪１７を有しており、弾性手段としての引きバネ１８によって、図１乃至３における左方向、即ち、係止爪１７が係止凹部１５に係止する方向（「係止方向」）に付勢されており、通常の状態においては、引きバネ１８の付勢力によって、係止爪１７は、係止爪側長溝１０を貫通してスライダー１３の係止凹部１５内に係止し、スライダー１３をロックした状態となっている。
【００３６】
一方、引きバネ１８の付勢力に対抗してストッパー１６を、図１乃至３における右方向、即ち係止凹部１５と係止爪１７の係止が解除する方向（「解除方向」）に移動させることで、係止爪１７と係止凹部１５との係止を解除し、スライダー１３をフリーにすることができ、それによりスライダー１３は、弾性手段としての押しバネ１４の付勢力により、突出方向へ移動してスライダーケース９から抜けていく。
【００３７】
そして、前記スライダー１３に形成した係止凹部１５は、スライダー１３の側面からスライダー１３の長手方向に直交する方向へ形成された水平面１５０１と、この水平面１５０１の最奥部から、斜め先端側方向に向けて形成されたテーパー面１５０２により形成されており、本実施例においては、スライダー１３の長手方向に沿って間隔を置いて、４個の係止凹部１５が形成されている。
【００３８】
一方、前記係止爪１７は、図１０に示すように、前記係止凹部１５における水平面１５０１に当接する水平面と、前記係止凹部１５におけるテーパー面１５０２に当接するテーパー面１７０２を有している。
【００３９】
従って、係止凹部１５に係止爪１７が係止されている状態においては、スライダー１３にスライダーケース９内に挿入する方向への圧力が加えられると、係止凹部１５のテーパー面１５０２によって係止爪１７のテーパー面１７０２にスライダーケース９側の圧力が加えられるが、ストッパー１６はベース７上に載置されており、ベース７の長手方向にのみ移動可能であるために、いわゆるくさびの原理によって、係止爪１７のテーパー面１７０２には反スライダー１３方向に向けて圧力が加えられる。そうすると、ストッパー１６は、解除方向に移動し、係止爪１７と係止凹部１５との係止が解除され、スライダー１３をスライダーケース９内に挿入していくことが可能となる。従って、スライダー１３を段階的に縮めることができるとともに、スライダー１３を一気に押し込むことで、スライダーを最奥部まで一気に縮めることもできる。
【００４０】
その一方、係止凹部１５に係止爪１７が係止されている状態においては、係止凹部１５の水平面１５０１と係止爪１７の水平面１７０１が当接しているために、押しバネ１４の付勢力によってスライダー１３に突出方向への圧力が加わった場合でも、スライダー１３が突出方向へ移動することは無い。従って、ストッパー１６は、前記スライダー３がスライダーケース９から抜ける方向へ移動することは阻止し、スライダー１３がスライダーケース９へ挿入される方向へ移動することは許容している。
【００４１】
また、前述したように、スライダー１３は、弾性手段としての押しバネ１４によって、突出方向に付勢されているため、係止凹部１５と係止爪１７の係止が解除されると、スライダー１３は押バネ１４による付勢力が無くなる距離だけ、突出方向へ移動する。
【００４２】
なお、前記係止爪用長溝１０は必ずしも長溝にする必要はなく、係止爪１７が貫通可能な空間を具備しておればよく、窓部にしてもよい。また本実施例において前記引きバネ１８は、基端側が前記ベース７に連結され、先端側は前記ストッパー１６に連結されており、常にストッパー１６を係止方向へ付勢する状態としている。なお、本実施例においては、ストッパー１６に係止方向への付勢力を与える弾性手段として、コイル状の引きバネ１８を用いているが、必ずしもコイル状の引きバネを用いる必要は無く、ストッパー１６に係止方向への付勢力を与えるものであればずれを用いても良い。従って、例えば板バネを用いても良い。
【００４３】
次に、図１乃至３において１９はスイッチである。即ち、本実施例では、前記ストッパー１６を解除方向へ移動してスライダー１３のロックを解除するためのスイッチを有している。ここで、図１４は、前記スイッチ１９を示した図であり、（ａ）は平面図を示しており、（ｂ）は正面図を示している。そして、本実施例において前記スイッチ１９は、押圧部２０と、この押圧部２０に連設されたアーム２１を有しており、アーム２１の先端部が、ストッパー１６を移動させるために作用することとしている。
【００４４】
即ち、ストッパー１６には、前記スイッチ１９におけるアーム２１の先端が挿通する貫通孔２３が形成され、この貫通孔２３内における反係止爪側の内壁には、テーパー状の受圧壁２４が形成されている。一方、前記スイッチ１９におけるアーム２１の先端部には、前記受圧壁２４に当接するテーパー状の押圧面２２が形成されている。そして、押圧部２０が押下されていない初期状態においては、アーム２１の先端がわずかに貫通孔２３内に挿入して、押圧面２２が受圧壁２４に当接している。そして、押圧部２０を押下すると、押圧面２２が受圧壁２４を押圧することで、くさびの原理によってストッパー１６に解除方向への圧力が加わり、これによりストッパー１６が解除方向に移動し、係止凹部１５と係止爪１７との係止が解除されて、スライダー１３がフリーな状態になる。なお、押圧部２０が押下されていない初期状態においては、必ずしもアーム２１の先端を貫通孔２３内に挿入する必要はなく、押圧部２０を押圧することで、押圧面２２が受圧壁２４を押圧可能であれば良い。
【００４５】
次に、図１乃至３において２５は、前記スイッチ１９における押圧部２０の押圧によって係止凹部１５と係止爪１７との係止が解除されたときに、ストッパー１６の位置を固定して、係止凹部１５と係止爪１７との係止が解除された状態を維持するための保持部材である。ここで、前記保持部材２５について説明すると、図７乃至図９において２５が保持部材であり、本実施例において前記保持部材２５は、先端側で前記ベース７に固定されているとともに、一対の保持用アーム２６を有しており、この保持用アーム２６の先端部には互いに対向する内側に係止突起２７を有している。また、前記保持用アーム２６は、樹脂等の変形可能な部材で構成されており、前記保持用アーム２６に対して、前記係止突起２７が互いに離反する方向に圧力を加えることで広がり、この圧力を解除すると元の形状に復元する。
【００４６】
一方、前記ストッパー１６における解除方向側の先端部にはヘッド部２８が形成されている。そしてこのヘッド部２８は、解除方向側に向けて台形状としており、従って左右側にテーパー面２９を有するとともに、テーパー面２９における係止方向側には、鍔部３０が形成されている。そして、テーパー面２９の左右側端部間の距離は、前記係止突起２７間の距離よりもわずかに狭い距離としている。そのために、ヘッド部２８を前記保持用アーム２６間に挿入した場合には、ヘッド部２８の左右側端部が係止突起２７間に保持され、これによりストッパー１６の位置を固定することができる。
【００４７】
この関係を詳細に説明すると、本実施例においては、係止凹部１５に係止爪１７が係止されている状態においては、ストッパー１６のヘッド部２８の先端部のテーパー面が係止突起２７の外側に当接する配置としている。この状態が図８の状態である。
【００４８】
そして、この状態において、スイッチ１９を押下してストッパー１６を解除方向に移動させて、係止凹部１５と係止爪１７との係止を解除すると、ヘッド部２８が保持用アーム２６を左右側に押し広げて保持用アーム２６の内側に入り込む。そして、ヘッド部２８が完全に保持用アーム２６の内側に入り込むと、保持用アーム２６は元の状態に復元し、鍔部３０が係止突起２７によって保持され、これにより、ストッパー１６は、係止凹部１５と係止爪１７との係止が解除された位置で固定され、その位置が維持される。この状態が図９であり、保持部材２５によってストッパー１６が保持された状態を示しており、この状態でストッパー１６に係止方向への圧力が加わると、ヘッド部２８は保持用アーム２６を左右側に押し広げながら、保持用アーム２６の内側から出てきて、それにより、ストッパー１６は、保持部材２５による保持から解放される。
【００４９】
次に、図１乃至３において３１は解除爪である。即ち、本実施例においては、前記ストッパー１６の内周側における係止爪１７に対向する側に解除爪３１を突出している。そして、この解除爪３１は、ストッパー１６が解除方向に移動して、係止凹部１５と係止爪１７との係止が解除され、更に保持部材２５によってストッパー１６が、係止凹部１５と係止爪１７との係止が解除された位置で固定されたときに、ストッパー１６の移動とともに、スライダーケース９に形成した解除爪用長溝１１内に挿入され、係止凹部１５と係止爪１７とが係止されているときは、解除爪用長溝１１内から退避することとしている。そして、係止凹部１５と係止爪１７とが係止され、解除爪３１が解除爪用長溝１１内から退避しているときを初期位置としており、解除爪用長溝１１内に挿入されているときを所定位置としている。
【００５０】
一方、前記スライダー１３において前記係止凹部１５の反対側の面、即ち、前記解除爪３１に対向する面における下方側には、解除突起３２が形成されており、この解除突起３２は、スライダー１３の移動に伴って、前記解除爪用長溝１１内をスライダー１３の移動方向と同方向に移動することとしている。そして、押しバネ１４の付勢力によってスライダー１３が完全に伸びたときに、解除突起３２が、解除爪用長溝１１内の解除爪３１を押圧して、解除爪３１を解除爪用長溝１１内から退避させて初期位置に復元させることとしている。またそのときに、ストッパー１６が保持部材２５による保持から解除され、更に、最奥部の係止凹部１５内に係止爪１７が係止する位置にくることとしている。
【００５１】
従って、ストッパー１６が解除方向に移動して、係止凹部１５と係止爪１７との係止が解除されると、解除爪３１が解除爪用長溝１１内に挿入される一方、スライダー１３はフリーな状態になるために押しバネ１４の付勢力によってスライダーケース９から抜けて先端側へ伸びていく。そして、スライダー１３が完全に伸びたときに、解除突起３２が、解除爪用長溝１１内の解除爪３１を押圧して解除爪用長溝１１内から退避させる。
【００５２】
そうすると、前記ストッパー１６は、保持部材２５による保持から解除されるとともに、引きバネ１８の付勢力によって係止方向へ引っ張られ、それにより、最奥部の係止凹部１５内に係止爪１７が係止し、スライダー１３がストッパー１６によってロックされることになる。なお本実施例において前記解除爪３１は、解除突起３２によって押圧される部分をテーパー状としており、解除突起３２に押圧された際に、係止方向へ移動することとしている。
【００５３】
次に、前記本体部２の室内側の開口２０１を開閉自在に閉鎖する風量調整板５について説明すると、図１乃至３において５が風量調整板であり、本実施例において風量調整板５は、前記化粧縁部４の内周側を十分に覆うことが可能な面積を有する角型の板状としており、前記化粧縁部４の内周側に配置されることとしている。
【００５４】
そして、風量調整板５における前記本体部２に対向する面、即ち風量調整板５の下面には、前記スライダー１３が係脱自在に連結されているとともに、前記スイッチ１９が可動自在に連結されている。
【００５５】
この関係を説明すると、本実施例において前記風量調整板５の下面には取付部材が備えられており、この取付部材に前記スイッチ１９とスライダー１３が連結されている。即ち、図１５および図１６が取付部材を説明するための図であり、図１５は取付部材の縦断正面構造を示す図、図１６は取付部材の下面側を示した斜視図で、図において３３が取付部材である。
【００５６】
そして、前記取付部材３３は、下面側に凸状とした中空のボス部３４を有しており、このボス部３４内に前記スイッチ１９の押圧部２０が収容されているとともに、スイッチ１９のアーム２１は、上下動自在にして取付部材３３を貫通して下方に延び、先端は前述したようにストッパー１６の貫通孔２３内にわずかに挿入されている。また、押圧部２０は、押しバネ３５によって上方に付勢された状態でボス部３４内に収容され、一方、前記風量調整板５における押圧部２０に対向する箇所３６は切りかかれている。従って、切欠き３６を介して押圧部２０を押下することで、スイッチ１９のアーム２１の押圧面２２が受圧壁２４を押圧して、ストッパー１６を解除方向に移動し、係止凹部１５と係止爪１７との係止を解除することができる。
【００５７】
次に、前記ボス部３４の下面の中央部には円筒状の連結部３７が突出されており、この連結部３７には、上下方向にわたって一つの挿入用ガイド溝３８が形成されており、更に、連結部３７の基端部分には、対向する箇所に２か所の係止溝３９が形成されている。
【００５８】
一方、前記スライダー１３の先端部には、前記連結部３７内に挿入される挿入部４０が連設されており、この挿入部４０の先端部には、スライダー１３の長手方向に直交する方向へ向けて、一対のピン状の係止突起４１が連設されている。それにより、係止突起４１を挿入ガイド３８の下端まで挿入し、その後にスライダー１３又は風量調整板５を回動することで、係止突起４１を係止溝３９内に挿入することで、取付部材３３を介してスライダー１３を、風量調整板５に係脱自在に連結することができる。そして、スライダー１３を取付部材３３に連結した際にスイッチ１９のスイッチ用アーム２１の先端がストッパー１６の貫通孔２３内に挿入されるようにしておく。なお、取付部材３３、スイッチ１９及びスライダー１３の関係を示した図が図１７である。
【００５９】
次に、図１乃至３において４２は、風向き調整具である。即ち、本実施例では、前記風量調整板５の下面に風向き調整具４２を具備して、本体部２の挿入部３を介して室内に入り込んでくる風の風向きを調整可能としている。
【００６０】
ここで、風向き調整具４２について説明すると、図１８が風向き調整具を示す図であり、風向き調整具４２を平面から示した図である。そして、図において４３は調整具本体であり、この調整具本体４３は、円柱状であり、底面側には吸気用開口４４が形成され、側面部には複数の給気窓４５が形成されている（図１乃至３参照）。
【００６１】
そして、この給気窓４５を閉鎖する配置で、風カバー４６が取り付けられており、この風カバー４６は、固定爪４７を前記給気窓４５間の柱部材４８に係止することで、調整具本体４３に取り付けられている。従って、風カバー４６の取付位置を変えることで、室内に入り込んでくる風の向きを調整することができる一方、風カバー４６を取り付けないことで、調整具本体４３の全周側から風を取り込むことも可能である。
【００６２】
次に、図１９はフィルター５０を示す図であり。即ち、本実施例においては、前記風向き調整具４２内にフィルター５０を載置し、これにより、外気とともに本体部２に流入してくる塵埃などの異物をフィルター５０で捕捉することとしている。
【００６３】
但し、フィルター５０は必ずしも必要ではなく、これを用いなくてもよい。また、図１９に示すフィルターは、円筒状の本体部の周囲にフィルターを配置した図１９に示すエアークリーナータイプとしているが、特に大きさは限定されず、また、不織布等の通気性を有する生地を前記調整具本体４３の内周側に配置してもよい。
【００６４】
なお、図１乃至３において５１はカバーであり、図１１はカバー５１を平面から示した図、また、図４は、カバー５１を外したベース７上を平面から示した図である。即ち、本実施例では、前記ベース７の上方にカバー５１を配置しており、ベース７とカバー５１間に、ストッパー１６、保持部材３５を配置し、前記スライダー１３、スライダーケース９、及びスイッチ用アーム２１等は、カバー５１に形成した貫通孔５２を貫通させている。
【００６５】
次に、このように構成される本実施例の換気口カバー１の作用について説明すると、図１の状態は風量調整板５を全閉した状態を示している。そしてこの状態では、スライダー１３がスライダーケース９の最奥部まで挿入され、ストッパー１６の係止爪１７がスライダー１３の最先端側の係止凹部１５に係止され、スライダー１３がロックされている。
【００６６】
次に、図１の状態において、スイッチ１９の押圧部２０を押下すると、スイッチ１９におけるアーム２１の押圧面２２がストッパー１６の受圧壁２４を押圧し、ストッパー１６が解除方向に移動し、係止凹部１５と係止爪１７との係止が解除されて、スライダー１３がフリーな状態になる。
【００６７】
また、それとともに、ストッパー１６は保持部材２５によって位置が固定されて、係止凹部１５と係止爪１７との係止が解除された状態が維持される。
【００６８】
更に、ストッパー１６が解除方向に移動して、係止凹部１５と係止爪１７との係止が解除されると、解除爪３１が解除爪用長溝１１内に挿入される。
【００６９】
この状態を示した図が図３であり、図３に示す状態ではスイッチ１９の押圧部２０が押下された状態であり、スイッチ１９によって取付部材３３が本体部２側に押されているとともに、スライダー１３は取付部材３３によって基端側に押されているため、風量調整板５は全閉のままである。またストッパー１６は、保持部材２５により位置が固定されているとともに、アーム２１の押圧面２２による受圧壁２４への押圧によっても、位置が固定された状態が維持されている。
【００７０】
次に、図３の状態で押圧部２０の押下を解除すると、スライダー１３が押しバネ１４の付勢力によって完全に伸びるまで突出方向へ移動し、それにより、風量調整板５は全開まで開いていくとともに、スライダー１３の解除突起３２は解除爪用長溝１１内を突出方向へ移動していく。
【００７１】
また、スライダー１３が突出方向へ移動して風量調整板５が開いていくと、それとともにスイッチ１９も上昇してアーム２１が上方へ移動する。そうすると、アーム２１の先端がストッパー１６の貫通孔２３内から出るので、アーム２１の押圧面２２による受圧壁２４への押圧が無くなり、ストッパー１６に対する解除方向への圧力が無くなり、ストッパー１６は保持部材２５による保持のみで位置が固定されることになる。
【００７２】
そして、スライダー１３が完全に伸びて風量調整板５が全開になると、スライダー１３の解除突起３２が、解除爪用長溝１１内の解除爪３１を押圧して解除爪用長溝１１内から退避させる。そうすると、ストッパー１６は、解除爪用長溝１１内からの解除爪３１の退避とともに係止方向へ移動し、保持部材２５による保持から解除されるとともに、引きバネ１８の付勢力によって係止方向へ引っ張られ、それにより、最奥部の係止凹部１５内に係止爪１７が係止し、スライダー１３がストッパー１６によってロックされることになる。この状態を示した図が図２である。
【００７３】
そして、この図２の状態において、風量調整板５を本体部２側へ押していくと、スライダー１３の係止凹部１５のテーパー面１５０２によって係止爪１７に解除方向への圧力が加えられ、これにより、ストッパー１６は解除方向に移動し、係止爪１７と係止凹部１５との係止が解除され、スライダー１３をスライダーケース９内に挿入していくことが可能となる。従って、これにより、風量調整板５を段階的に閉めていくことができるとともに、風量調整板５を一気に押し込むことで、風量調整板５を一気に全閉することも可能であり、更に、風量調整板５を段階的に占めている過程においても、スイッチ１９の押圧部２０を押下することで、風量調整板５を一気に全開することが可能である。
【００７４】
また、風量調整板５を開いた状態においては、本体部２に入ってきた外気は、風向き調整具４２における風カバー４６で閉鎖されていない給気窓４５を介して室内に入り込むとともに、その際に、フィルター５０によって外気とともに本体部に流入してくる塵埃などの異物を捕捉することができる。
【００７５】
このように、本実施例の換気口カバー１では、風量調整板５を本体側に押し込むことで、段階的に、あるいは一気に風量調整板５を閉めることができるとともに、スイッチを押下することで、一気に風量調整板５を全開にすることができ、更に、スイッチを押下しない限りは風量調整板を開くことができないために、風量調整板を押し込み過ぎることで風量調整板が開いてしまうことを確実に防止することが可能である。
【００７６】
また、風向き調整具を具備しているために、室内に入り込んでくる風の向きを調整することが可能であるとともに、フィルターによって、外気とともに本体部に流入してくる塵埃などの異物をフィルターで捕捉することも可能である。
【産業上の利用可能性】
【００７７】
本発明の換気口カバーでは、建物の壁に形成された給気孔に挿入される円筒形状の本体部と、本体部の室内側開口を開閉自在に閉鎖する風量調整板を具備して、風量調整板の位置調整を行うことで本体部の室内側開口の開閉割合を調整自在とした換気口カバーにおいて、意図しないにもかかわらず換気口が全開してしまうことを防止したことを特徴としているために、給気孔の開閉を風量調整板により行うこととした換気口カバーの全般に適用可能である。
【符号の説明】
【００７８】
１    換気口カバー
２    本体部
２０１    室内側開口
３    挿入部
４    化粧縁部
５    風量調整板
６    挿入枠
７    ベース
７０１    貫通孔
８    支持板
９    スライダーケース
１０    係止爪用長溝
１１    解除爪用長溝
１２    固定用ベース
１３    スライダー
１４    押しバネ
１５    係止凹部
１６    ストッパー
１７    係止爪
１８    引きバネ
１９    スイッチ
２０    押圧部
２１    アーム
２２    押圧面
２３    貫通孔
２４    受圧壁
２５    保持部材
２６    保持用アーム
２７    係止突起
２８    ヘッド部
２９    テーパー面
３０    鍔部
３１    解除爪
３２    解除突起
３３    取付部材
３４    ボス部
３５    押しバネ
３６    切欠き
３７    連結部
３８    挿入ガイド溝
３９    係止溝
４０    挿入部
４１    係止突起
４２    風向き調整具
４３    調整具本体
４４    吸気用開口
４５    給気窓
４６    風カバー
４７    固定爪
４９    柱部材
５０    フィルター
５１    カバー
５２    貫通孔
【図１】
0006573430.tif 000002
【図２】
0006573430.tif 000003
【図３】
0006573430.tif 000004
【図４】
0006573430.tif 000005
【図５】
0006573430.tif 000006
【図６】
0006573430.tif 000007
【図７】
0006573430.tif 000008
【図８】
0006573430.tif 000009
【図９】
0006573430.tif 000010
【図１０】
0006573430.tif 000011
【図１１】
0006573430.tif 000012
【図１２】
0006573430.tif 000013
【図１３】
0006573430.tif 000014
【図１４】
0006573430.tif 000015
【図１５】
0006573430.tif 000016
【図１６】
0006573430.tif 000017
【図１７】
0006573430.tif 000018
【図１８】
0006573430.tif 000019
【図１９】
0006573430.tif 000020